(57)【要約】【課題】音声出力機能を具えた光ディスク複製装置の提供。【解決手段】この音声出力機能を具えた光ディスク複製装置は、光ディスクドライブ、少なくとも一つのレコーダー、複製コントローラを包含する。該複製コントローラに音声出力回路モジュールが配置され、光ディスクドライブ或いはレコーダーの光ディスク音声データをキャプチャし、処理変換後に出力し、それが音声出力の機能を具備するものとされる。これにより、記録複製作業完成後に直接光ディスクの音声を試聴でき、音楽再生の機能も併せ持つ。【選択図】図２
0003160646.tif 000002
【実用新案登録請求の範囲】
【請求項１】
音声出力機能を具えた光ディスク複製装置において、
複製元光ディスクを載置する光ディスクドライブと、
空白光ディスクを載置し並びにデータを書き込む少なくとも一つのレコーダーと、
複製コントローラであって、該光ディスクドライブと該レコーダーにそれぞれ接続されて、光ディスクの記録複製作業を制御し、制御ユニット、該制御ユニットに接続された音声出力回路モジュール、及び音声出力ユニットを包含する、上記複製コントローラと、
を包含したことを特徴とする、音声出力機能を具えた光ディスク複製装置。
【請求項２】
請求項１記載の音声出力機能を具えた光ディスク複製装置において、該音声出力回路モジュールは、光ディスク音声データキャプチャユニットと、該光ディスク音声データキャプチャユニットに接続された光ディスク音声データ処理ユニットと、該光ディスク音声データ処理ユニットに接続されたアナログ音声信号変換ユニットとを包含し、該光ディスク音声データキャプチャユニットは、該光ディスクドライブ及び該レコーダーに接続され、該アナログ音声信号変換ユニットは該音声出力ユニットに接続されたことを特徴とする、音声出力機能を具えた光ディスク複製装置。
【請求項３】
請求項１記載の音声出力機能を具えた光ディスク複製装置において、該音声出力ユニットは音声出力孔とされたことを特徴とする、音声出力機能を具えた光ディスク複製装置。
【請求項４】
請求項１記載の音声出力機能を具えた光ディスク複製装置において、該光ディスクドライブ、該レコーダー及び該複製コントローラはＳＡＴＡインタフェースとされることを特徴とする、音声出力機能を具えた光ディスク複製装置。
【請求項５】
請求項１記載の音声出力機能を具えた光ディスク複製装置において、該光ディスクドライブ、該レコーダー及び該複製コントローラはＳＡＳインタフェースとされることを特徴とする、音声出力機能を具えた光ディスク複製装置。
【請求項６】
請求項１記載の音声出力機能を具えた光ディスク複製装置において、該光ディスクドライブ、該レコーダー及び該複製コントローラはＵＳＢインタフェースとされることを特徴とする、音声出力機能を具えた光ディスク複製装置。
【請求項７】
請求項１記載の音声出力機能を具えた光ディスク複製装置において、該制御ユニットは操作パネルユニットに接続され、該操作パネルユニットはキー及びディスプレイを包含することを特徴とする、音声出力機能を具えた光ディスク複製装置。
【考案の詳細な説明】
【技術分野】
【０００１】
本考案は一種の音声出力機能を具えた光ディスク複製装置に係り、特に、一種の独立式システムの光ディスク複製装置に関する。
【背景技術】
【０００２】
一般に、コンピュータ或いは外付け式の光ディスクレコーダーは、光ディスクへの記録複製が完成した後、コンピュータシステムと接続されることで、コンピュータの再生設備を通して光ディスクの音声を再生し、音源の光ディスクであっても、すでに複製が完成した光ディスクであっても、コンピュータを通して音声が出力されて、直接音楽を聴いたり、或いは複製された光ディスクの内容を確認したりできる。
【０００３】
市販されている独立式システムの一対一或いは一対多の光ディスク複製機は独立作動し、コンピュータに接続する必要はなく、スピーディーに光ディスクのデータをバックアップできる。ただし、独立式の光ディスク複製機は、音声出力の機能がないため、光ディスクにオーディオビデオデータをバックアップした後には、直接複製完成した光ディスクを直接再生、試聴することができず、光ディスクをだし取りだしてコンピュータ或いは音響設備で再生しなければならず、このため使用上、不便であった。
【考案の概要】
【考案が解決しようとする課題】
【０００４】
本考案の主要な目的は、一種の音声出力機能を具えた光ディスク複製装置を提供することにあり、それは、その複製コントローラに音声出力回路モジュールが配置され、音声出力の機能を具備するものとされ、これにより、記録複製作業を完成した後に、直接複製完成した光ディスクを試聴でき、使用の便利性を提供し、光ディスク複製装置が音楽再生の機能も具備し、使用者にさらに完全な機能を提供できるものとする。
【課題を解決するための手段】
【０００５】
上述の目的を達成するため、本考案の音声出力機能を具えた光ディスク複製装置は、
複製元光ディスクを載置する光ディスクドライブと、
空白光ディスクを載置し並びにデータを書き込む少なくとも一つのレコーダーと、
複製コントローラであって、該光ディスクドライブと該レコーダーにそれぞれ接続されて、光ディスクの記録複製作業を制御し、制御ユニット、該制御ユニットに接続された音声出力回路モジュール、及び音声出力ユニットを包含する、上記複製コントローラと、
を包含する。
【０００６】
本考案はさらに、該複製コントローラに接続された操作パネルユニットを包含し、該操作パネルユニットを通して音声再生機能を選択でき、該制御ユニットは該音声出力回路モジュールを介して光ディスクドライブ或いはレコーダーの光ディスクの音声データをキャプチャし、処理と音声信号変換の後、該音声出力ユニットより音声を出力する。
【０００７】
該光ディスクドライブ、レコーダー及び複製コントローラは、ＳＡＴＡ(Serial Advanced Technology Attachment)インタフェース、或いはＳＡＳ（Serial Attached SCSI)インタフェース、或いはＵＳＢインタフェースでよりスピーディーなデータ伝送速度を提供できる。
【考案の効果】
【０００８】
本考案の光ディスク複製装置は音声出力回路モジュールにより、複製作業完成後に直接光ディスクを試聴でき、使用者に音楽或いは音声の再生試聴の機能を提供でき、使用上の便利性とさらに完全な機能性を提供する。
【図面の簡単な説明】
【０００９】
【図１】本考案の実施例のシステム構造表示図である。
【図２】本考案のブロック図である。
【考案を実施するための形態】
【００１０】
本考案のその他の特徴及び具体的実施例をよりご理解いただくため、以下に図面を組み合わせて詳細に説明する。
【００１１】
図１は本考案の実施例のシステム構造表示図である。本考案の音声出力機能を具えた光ディスク複製装置は、光ディスクドライブ１０、複数のレコーダー２０、及び複製コントローラ３０を包含する。該光ディスクドライブ１０は、複製元光ディスクを載置して複製に供する。これらレコーダー２０は、空白光ディスクを載置し並びにデータを書き込む。該複製コントローラ３０はそれぞれ光ディスクドライブ１０とレコーダー２０に接続され、光ディスクの記録複製作業を制御し、複製元光ディスクのデータを空白光ディスクに書き込む。光ディスクドライブ１０、レコーダー２０と複製コントローラ３０は、ＳＡＴＡインタフェース、或いはＳＡＳインタフェース或いはＵＳＢインタフェースとされ、光ディスクドライブ１０とレコーダー２０はそれぞれＳＡＴＡインタフェース、或いはＳＡＳインタフェース或いはＵＳＢインタフェース伝送線４０で複製コントローラ３０に接続される。
【００１２】
図２も参照されたい。該複製コントローラ３０は制御ユニット３１、該制御ユニット３１に接続された音声出力回路モジュール３２、及び該音声出力回路モジュール３２に接続された音声出力ユニット３３を包含する。該音声出力回路モジュール３２は、光ディスクドライブ１０及びレコーダー２０に接続された光ディスク音声データキャプチャユニット３２１、該光ディスク音声データキャプチャユニット３２１に接続された光ディスク音声データ処理ユニット３２２、及び、該光ディスク音声データ処理ユニット３２２に接続されたアナログ音声信号変換ユニット３２３を包含する。該光ディスク音声データキャプチャユニット３２１は光ディスクドライブ１０とレコーダー２０に接続され、複製元光ディスク或いはすでにデータが書き込まれた光ディスクの音声データをキャプチャし、光ディスク音声データ処理ユニット３２２の処理を経て、アナログ音声信号変換ユニット３２３でアナログ信号に変換し、音声出力ユニット３３を通して音声を出力する。音声出力ユニット３３は音声出力孔とされ得る。
【００１３】
該制御ユニット３１は並びに操作パネルユニット３４に接続され、操作パネルユニット３４はキー及びディスプレイを有する。操作パネルユニット３４により、各種の音声出力機能、例えば、選曲、再生、音量、一時停止、停止等を選択できる。
以上により、使用者は操作パネルユニット３４により光ディスクドライブ１０或いはレコーダー２０の光ディスクを選択再生でき、制御ユニット３１は光ディスク音声データキャプチャユニット３２１を通して光ディスクの音声データをキャプチャし、光ディスク音声データ処理ユニット３２２で処理した後、アナログ音声信号変換ユニット３２３でアナログ信号に変換し、音声出力ユニット３３より音声を出力する。
【００１４】
これにより、本考案の光ディスク複製装置は音声出力回路モジュールにより、複製作業完成後に直接光ディスクを試聴でき、使用者に音楽或いは音声の再生試聴の機能を提供でき、使用上の便利性とさらに完全な機能性を提供し、確実に実用新案登録の要件を具備するものである。
【００１５】
以上の説明は、本考案の好ましい実施例にかかるものであって、本考案の実施可能な範囲を限定するものではなく、本考案に基づき当業者がなし得る細部の修飾或いは改変は、いずれも本考案の請求範囲に属するものとする。
【符号の説明】
【００１６】
１０  光ディスクドライブ            ２０  レコーダー
３０  複製コントローラ              ３１  制御ユニット
３２  音声出力回路モジュール
３２１  光ディスク音声データキャプチャユニット
３２２  光ディスク音声データ処理ユニット
３２３  アナログ音声信号変換ユニット
３３  音声出力ユニット
３４  操作パネルユニット
４０  ＳＡＴＡインタフェース、或いはＳＡＳインタフェース或いはＵＳＢインタフェース伝送線
【図１】
0003160646.tif 000003
【図２】
0003160646.tif 000004